(57)【要約】【課題】導通検査をする場所の制約がなく、コネクタの勘合精度が高い導通検査治具を提供する。【解決手段】導通検査治具の治具本体１０には、本体ガイド部１２と本体底部１９との間に本体ムービング部１３が形成され、本体ムービング部１３にピンガードプレート３０が進退可能に配置され、ピンガードプレート３０は本体ガイド部１２に向かってスプリング４０によって付勢されている。位置決めピン２０はピンガードプレート３０に形成された位置決めピン孔３２を貫通し、検査対象であるコネクタの後端面に形成された凹部に侵入可能であり、導通ピン５０はピンガードプレート３０に形成された導通ピン孔３５に侵入し、ピンガードプレート３０がコネクタの当接によって本体底部１９方向に押し込まれた際、先端５１が導通ピン孔３５から突出して、先端５１または側面がコネクタに収容された端子に接触可能になっている。【選択図】図２
2020008387.tif 000002
【特許請求の範囲】
【請求項１】
本体底部を具備する筒状の治具本体と、
前記治具本体の開口部に形成され、検査対象であるコネクタが挿入される本体ガイド部と
先端が前記コネクタの後端面に形成された凹部に侵入可能で、後端が前記本体底部に固定された位置決めピンと、
前記コネクタに収容された端子に接触可能で、前記本体底部に固定された導通ピンとを有し、
前記本体ガイド部に案内されて前記コネクタが挿入されると、前記位置決めピンが前記凹部に侵入することを特徴とする導通検査治具。
【請求項２】
前記位置決めピンは３本以上であって、非対称に配置されていることを特徴とする請求項１記載の導通検査治具。
【発明の詳細な説明】
【技術分野】
【０００１】
本発明は導通検査治具、特に導通ピンをコネクタに収容された端子に接触させることによって導通を検査する導通検査治具に関する。
【背景技術】
【０００２】
従来、車両等に設置されるコネクタに収容された端子の導通を検査する導通検査治具は、治具基板に固定されたコネクタセット部と、コネクタセット部に向かって進退可能な検査部とを有し、検査部には複数の導通ピンが設置されている。そして、コネクタセット部にセットされたコネクタの後端面に平行になるセット部後端面を設け、検査部にはセット部後端面に平行な検査部板壁を設け、検査部板壁の前端面側にスプリングによって付勢されたピンガードプレートを配置して、検査部板壁およびピンガードプレートを導通ピンが貫通した発明（導通検査治具の導通ピン保護構造）が開示されている（たとえば、特許文献１参照）。
【先行技術文献】
【特許文献】
【０００３】
【特許文献１】特開２００９−１６３９５３号公報（第４−６頁、図１）
【発明の概要】
【発明が解決しようとする課題】
【０００４】
特許文献１に開示された発明（以下「従来技術」と称す場合がある）は、導通検査時に、ピンガードプレートはセット部後端面と検査部板壁とに挟圧されることによって傾きが防止されるため、確実な導通検査ができる。
しかしながら、従来技術は、治具基板にコネクタセット部が固定され、治具基板に設けられた案内手段に案内された検査部を、作業者がレバー操作によって進退させるものであるため、以下の問題があった。
【０００５】
すなわち、治具基板が検査セクションの検査台等に固定され、一方の手で保持したコネクタをコネクタセット部にセットし（第1の動作）、他方の手でレバーを操作する（第２の動作）必要があった。このため、治具基板を固定可能な架台等を製造ライン等の直上あるいは製造ライン等の近くに配置することが困難なことから、製造ライン等の一部において導通検査をすることが困難で、機動性を欠いていた。
特に、製造ラインにおいて、大型であり持ち運びが困難な製品を対象に導通検査を行う場合は、コネクタセット部および検査部を治具基板から離し、コネクタセット部に検査対象のコネクタを手で勘合させ、コネクタセット部に向けて検査部を手で移動させる状況が発生し得る。このとき、勘合精度の低下が予測されることから、勘合精度の向上が要請されていた。
【０００６】
本発明は、前記要請に応えるものであり、導通検査をする場所の制約がなく、コネクタの勘合精度が高い導通検査治具を提供することにある。
【課題を解決するための手段】
【０００７】
本発明に係る導通検査治具は、本体底部を具備する筒状の治具本体と、前記治具本体の開口部に形成され、検査対象であるコネクタが挿入される本体ガイド部と、先端が前記コネクタの後端面に形成された凹部に侵入可能で、後端が前記本体底部に固定された位置決めピンと、前記コネクタに収容された端子に接触可能で、前記本体底部に固定された導通ピンとを有し、前記本体ガイド部に案内されて前記コネクタが挿入されると、前記位置決めピンが前記凹部に侵入することを特徴とする。
また、前記位置決めピンは３本以上であって、非対称に配置されていることを特徴とする。
【発明の効果】
【０００８】
本発明に係る導通検査治具は位置決めピンを有し、位置決めピンが検査対象であるコネクタおよびピンガードプレートを正規の姿勢に位置決めするから、勘合精度が向上する。したがって、導通ピンは端子に正確に接触され、正確な導通検査が可能になる。そして、簡素な構成であるため、治具コストが安価になると共に、導通検査をする場所の制約がなくなり機動性が向上する。また、作業者の動作が簡素かつ迅速になる。
さらに、位置決めピンが非対称に配置されているから、コネクタのガイド部への誤挿入を防止することができる。なお、本発明において非対称とは、何れの直線に対しても対称でない場合と、何れかの直線に対して対称であっても、該直線に垂直な何れの直線に対しても対称でない場合とを指している。
【図面の簡単な説明】
【０００９】
【図１】本発明の実施の形態１に係る導通検査治具を模式的に説明するものであって、図１の（ａ）は全体を示す斜視図、図１の（ｂ）は検査対象とするコネクタを示す正面図、図１の（ｃ）は検査対象とするコネクタを示す側面図である。
【図２】本発明の実施の形態１に係る導通検査治具を模式的に説明するものであって、図２の（ａ）は一部（治具本体）を示す正面図、図２の（ｂ）は一部（治具本体）を示す側面視の断面図である。
【図３】本発明の実施の形態１に係る導通検査治具を模式的に説明するものであって、図３の（ａ）は導通検査の開始初期における一部（治具本体）を示す側面視の断面図、図３の（ｂ）は導通検査の途中における一部（治具本体）を示す側面視の断面図である。
【発明を実施するための形態】
【００１０】
以下、図面を参照しながら、本発明の実施の形態１に係る導通検査治具について説明する。なお、各図面は模式的に描かれているため、各部材の形状や大きさ、あるいは部材間の位置関係は図示された形態に限定されるものではない。
【００１１】
［実施の形態１］
図１〜図３は本発明の実施の形態１に係る導通検査治具を模式的に説明するものであって、図１の（ａ）は全体を示す斜視図、図１の（ｂ）は検査対象とするコネクタを示す正面図、図１の（ｃ）は検査対象とするコネクタを示す側面図、図２の（ａ）は一部（治具本体）を示す正面図、図２の（ｂ）は一部（治具本体）を示す側面視の断面図、図３の（ａ）は導通検査の開始初期における一部（治具本体）を示す側面視の断面図、図３の（ｂ）は導通検査の途中における一部（治具本体）を示す側面視の断面図である。
【００１２】
（全体構成）
図１の（ａ）において、導通検査治具１００は、治具本体１０と、治具本体１０に連結されたケーブル１２０と、ケーブル１２０に連結された接続コネクタ１３０と、治具本体１０を吊り下げるための吊り下げワイヤ１４０とを有している。
接続コネクタ１３０は検査対象であるコネクタ（図示しない）の導通検査する導通検査装置（図示しない）に接続されるものである。なお、吊り下げワイヤ１４０は、治具本体１０に近い位置および接続コネクタ１３０に近い位置においてケーブル１２０に縛着され、たとえば、製造ライン等の直上または製造ライン等の近くに、旋回手段（ホイスト等）、減量手段（バランサ等）あるいは伸縮手段（スプリング等）を介して吊り下げられる。
【００１３】
（コネクタ）
図１の（ｂ）および（ｃ）において、検査対象であるコネクタは（所謂「製品側コネクタ」に同じ）１は、略矩形状のコネクタ後部２の端面（以下「コネクタ後端面」と称す）３に凹溝（図示しない）が形成され、その一部が位置決めピン挿入部４を構成している。このとき、位置決めピン挿入部４は４個所で、正面視において非対称に配置されている。また、コネクタ後部２には複数の端子孔５が形成され、端子孔５内に端子６が収容されている。このとき、端子６はコネクタ後端面３から突出していない。さらに、コネクタ後部２の外周にはコネクタフランジ７が設けられている。なお、位置決めピン挿入部４は凹溝（図示しない）の曲がり部ないし交差部や穴状の凹み部であって、４個所に限定されるものではない。また、端子６には導通検査の対象であるものと、導通検査の対象でないものとがある。
【００１４】
（治具本体）
図２の（ａ）および（ｂ）において、治具本体１０は本体底部１９を具備する筒状であって本体開口部１１に、検査対象であるコネクタが挿入される本体ガイド部１２が形成されている。本体ガイド部１２は本体開口部１１に近い範囲が僅かに拡大したラッパ状を呈し、コネクタ１の挿入を容易にしている。なお、本体底部１９は治具本体１０と一体に形成されても、別体に形成された後、治具本体１０に設置されてもよい。
治具本体１０は、先端２１がコネクタ後端面３に形成された位置決めピン挿入部４に侵入可能で、図示しない後端が本体底部１９に固定された位置決めピン２０を有している。このとき、位置決めピン２０は４本であって、位置決めピン挿入部４と同様に正面視において非対称な略方形に配置されている。なお、位置決めピン２０の本数は限定されるものではない。
【００１５】
また、治具本体１０には、本体ガイド部１２と本体底部１９との間に本体ムービング部１３が形成され、本体ムービング部１３に、位置決めピン２０に案内されて進退可能なピンガードプレート３０が配置され、さらに、ピンガードプレート３０を本体ガイド部１２に向かって付勢するスプリング４０が本体スプリング穴１４に配置されている。このとき、位置決めピン２０は、ピンガードプレート３０に形成された位置決めピン孔３２を貫通している。そして、位置決めピン２０は略方形配置された４本であるから、ピンガードプレート３０はどの方向に対しても傾き難い姿勢に位置決めされている。なお、本発明はピンガードプレート３０の配置を必須とするものではなく、配置を省略してもよい。
そして、本体スプリング穴１４に配置されたスプリング４０は、押し込みロッド４１を介してピンガードプレート３０を本体ガイド部１２方向に付勢している。なお、本発明は付勢手段をコイル状のスプリング４０に限定するものではなく、エアーシリンダーやトグル機構等何れであってもよい。また、ピンガードプレート３０が配置されない場合は、当然に付勢手段は不要になる。
さらに、導通ピン５０は、ピンガードプレート３０に形成された導通ピン孔３５に侵入し、導通ピン孔３５から本体ガイド部１２方向に突出した際、先端５１または導通ピン５０の側面が検査対象の端子６に接触可能になっている。なお、導通ピン５０は、図示しない後端または中間部が本体底部１９に固定され、ケーブル１２０に接続されている。
【００１６】
（動作）
図３の（ａ）において、本体ガイド部１２に案内されてコネクタ１が挿入されると、位置決めピン２０が位置決めピン挿入部４に侵入する。すなわち、コネクタ後部２の外郭は本体ガイド部１２によって案内され、位置決めピン挿入部４は位置決めピン２０によって置決めされるから、コネクタ１の傾きが防止される。
図３の（ｂ）において、さらに挿入され、コネクタ後端面３がピンガードプレート３０を本体底部１９側に押している。このため、導通ピン５０の先端５１が導通ピン孔３５から突出することによって、先端５１は端子孔５に侵入し、先端５１または導通ピン５０の側面が検査対象の端子６に接触する。
【００１７】
（作用効果）
以上のように、治具本体１０は吊り下げられるものであって、従来技術のような治具基板を有しないため、導通検査をする場所の制約がなくなるから、たとえば車の製造ライン等の一部において導通検査をすることが可能になり、機動性が向上する。
また、作業者が一方の手でコネクタ１を保持し、他方の手で治具本体１０を保持し、コネクタ後部２を本体ガイド部１２に挿入するだけで導通検査をすることができるから、作業が簡素で迅速になる。このとき、位置決めピン２０は非対称に配置されているから、コネクタの誤挿入が防止される。
また、位置決めピン２０が位置決めピン挿入部４に侵入することによってコネクタ１の傾きが防止されるから、すなわち「手勘合」でないから、勘合精度が向上し、より正確な導通検査が可能になる。
さらに、従来技術のような案内手段やレバー機構を有しないから、治具の構造が簡素かつ軽量で治具コストが安価になる。
なお、導通検査時以外の時は、導通ピン５０は導通ピン孔３５に侵入して、先端５１がピンガードプレート３０の表面から突出していないから、仮に、ピンガードプレート３０に異物（作業者の指等を含む）が衝突したとしても、導通ピン５０の損傷が防止されている。
【００１８】
以上、本発明を実施の形態１をもとに説明した。この実施の形態１は例示であり、それらの各構成要素およびその組合せにいろいろな変形例が可能なこと、またそうした変形例も本発明の範囲にあることは当業者に理解されるところである。たとえば、ケーブル１２０を撤去して、治具本体１０を検査ステージの検査台に載置するようにしてもよいし、製造ラインの一部に載置台を設けて載置台に載置するようにしてもよい。
【産業上の利用可能性】
【００１９】
本発明は以上であるから、様々な形態のコネクタの導通検査をする導通検査治具として広く利用することができる。
【符号の説明】
【００２０】
１：コネクタ
２：コネクタ後部
３：コネクタ後端面
４：位置決めピン挿入部
５：端子孔
６：端子
７：コネクタフランジ
１０：治具本体
１１：本体開口部
１２：本体ガイド部
１３：本体ムービング部
１４：本体スプリング穴
１９：本体底部
２０：位置決めピン
２１：先端
２２：後端
３０：ピンガードプレート
３２：位置決めピン孔
３５：導通ピン孔
４０：スプリング
４１：押し込みロッド
５０：導通ピン
５１：先端
１００：導通検査治具
１２０：ケーブル
１３０：接続コネクタ
１４０：吊り下げワイヤ
【図１】
2020008387.tif 000003
【図２】
2020008387.tif 000004
【図３】
2020008387.tif 000005